(57)【特許請求の範囲】
【請求項１】
管理機本体にハンドルポストを取付けるためのハンドルポスト支持ブラケットを備え、このハンドルポスト支持ブラケットに抵抗棒を取付けた管理機において、
前記ハンドルポスト支持ブラケットは、
横長のプレートに、プレス機により中央に縦溝と、
この縦溝から左右へ延びる補強用の突条部をそれぞれ含む左右の平板部と、
これらの平板部の先に設けた左右円弧部と、
これらの円弧部から左右へ延ばした左右の直線部とを一括形成し、
前記縦溝を中心に二つ折りすることで、縦溝を前記抵抗棒を挿入することのできる筒部にし、左右の平板部同士を合せ、左右の円弧部同士を合せてハンドルポスト収納部とし、
左右直線部を管理機本体にボルトで連結する如くに、一枚のプレートを折曲げ形成した管理機のハンドルポスト支持ブラケットであって、
前記合わせられた左右の平板部同士は、上部において上溶接部が溶接されるとともに、下部において下溶接部が溶接され、
左右の平板部に含まれた前記突条部をそれぞれ外側に突出させたことを特徴とする管理機のハンドルポスト支持ブラケット。
【発明の詳細な説明】
【０００１】
【発明の属する技術分野】
本発明は、ハンドルポスト及び抵抗棒を取付けるためにハンドルポスト支持ブラケットを備えた管理機に関する。
【０００２】
【従来の技術】
例えば、実開昭５８−４１１０３号公報「走行型移動農機」にはハンドルポストや抵抗棒を農機本体に取付けるための支持ブラケットが提案されている。以下、同公報の要部を次図に示し、支持ブラケットについて説明する。ただし、符号は振り直した。
【０００３】
図１０は従来の管理機の断面図であり、管理機１００の本体１０１から後方に向けてハンドルポスト１０２を延ばし、このハンドルポスト１０２に操作ハンドル１０３を取付けた状態を示す。
ハンドルポスト１０２の下端部に下取付部材１０２ａを備え、この下取付部材１０２ａを本体１０１にボルト１０４で取付ける。加えて、ハンドルポスト１０２の上端部１０２ｂに下部ブラケット１０５を取付け、この下部ブラケット１０５を本体１０１にボルト１０６で取付ける。これにより、ハンドルポスト１０２を本体１０１から後方に向けた状態に取付けることができる。
【０００４】
また、操作ハンドル１０３の下端部１０３ａに上部ブラケット１０７を取付け、この上部ブラケット１０７を下部ブラケット１０５にボルト１０８で取付ける。これにより、操作ハンドル１０３をハンドルポスト１０２に取付けることができる。
さらに、上部ブラケット１０７の後端に筒体１０９を設け、この筒体１０９に抵抗棒１１０を差込むことにより、抵抗棒１１０を筒体１０９を取付ける。この抵抗棒１１０を土壌に差込むことで、土壌を耕耘する際の耕耘深さ調整する。
【０００５】
【発明が解決しようとする課題】
このように、管理機１００の本体１０１にハンドルポスト１０２や抵抗棒１１０を本体１０１に取付けるために、下部ブラケット１０５、上部ブラケット１０７及び筒体１０９の３個の部材を必要とする。
このため、管理機１００の部品点数が多くなり、そのことがコストアップの要因になる。また、管理機１００の部品点数が多くなることで構成も複雑になる。
【０００６】
そこで、本発明の目的は、部品点数を少なくすることができる管理機のハンドルポスト支持ブラケットを提供することにある。
【０００７】
【課題を解決するための手段】
上記目的を達成するために請求項１は、管理機本体にハンドルポストを取付けるためのハンドルポスト支持ブラケットを備え、このハンドルポスト支持ブラケットに抵抗棒を取付けた管理機において、前記ハンドルポスト支持ブラケットは、横長のプレートに、プレス機により中央に縦溝と、この縦溝から左右へ延びる補強用の突条部をそれぞれ含む左右の平板部と、これらの平板部の先に設けた左右円弧部と、これらの円弧部から左右へ延ばした左右の直線部とを一括形成し、前記縦溝を中心に二つ折りすることで、縦溝を前記抵抗棒を挿入することのできる筒部にし、左右の平板部同士を合せ、左右の円弧部同士を合せてハンドルポスト収納部とし、左右直線部を管理機本体にボルトで連結する如くに、一枚のプレートを折曲げ形成した管理機のハンドルポスト支持ブラケットであって、前記合わせられた左右の平板部同士は、上部において上溶接部が溶接されるとともに、下部において下溶接部が溶接され、左右の平板部に含まれた前記突条部をそれぞれ外側に突出させたことを特徴とする。
【０００８】
ハンドルポスト支持ブラケットは、抵抗棒を挿入する筒部、ハンドルポストを収納する収納部、管理機本体に取付ける直線部及び筒部と収納部とをつなぐ平板部を一枚のプレートで形成したものである。
このため、ハンドルポスト支持ブラケットの部品点数を少なくして、簡単な構成にすることができる。
加えて、筒部を収納部につなぐ平板部に補強用の突条部を含ませたことで、平板部の強度を高めることができる。
【０００９】
【発明の実施の形態】
本発明の実施の形態を添付図に基づいて以下に説明する。なお、「前」、「後」、「左」、「右」は作業者から見た方向に従う。また、図面は符号の向きに見るものとする。
図１は本発明に係る管理機の側面図である。
管理機１０は、管理機本体（ケーシング）１１の上端に動力源（エンジン）１２を取付け、このエンジン１２の回転をクラッチ機構１３を介して駆動シャフト１４に伝え、この駆動シャフト１４の回転をギヤ（ピニオン）１５ａを介してギヤ（ベベルギヤ）１５ｂに伝え、ベベルギヤ１５ｂの回転を左右の耕耘軸１６（左側のみ図示する）に伝えることで、これら左右の耕耘軸１６に取付けた耕耘爪１７（回転時の外輪を想像線で示す）で土壌を耕耘しながら前進する歩行型自走式耕耘機である。
【００１０】
この管理機１０は、ケーシング１１にハンドルポスト支持ブラケット２０を備え、このハンドルポスト支持ブラケット２０に、後方に延びるハンドルポスト４０を取付け、このハンドルポスト４０の上端４０ａに、後方に延びる左右のハンドル４３ａ，４３ｂを取付け、ハンドルポスト支持ブラケット２０に抵抗棒４５を取付けたものである。
この抵抗棒４５を土壌の中に差込むことで耕耘爪１７による耕深量を設定するとともに耕耘爪１７のけん引力に対する抵抗力を付加することができる。
【００１１】
図２は本発明に係る管理機のハンドルポスト支持ブラケットの斜視図である。
ハンドルポスト支持ブラケット２０は、抵抗棒４５を挿入する筒部２１、ハンドルポスト４０を収納する収納部２４及びケーシング１１の上部１１ａ（図４に示す）に取付ける左右の直線部３０，３２を備え、筒部２１と収納部２４とを左右の平板部３４，３６でつなぐことで一枚のプレートで形成可能にした部材である。
【００１２】
左右の直線部３０，３２の略中央には、それぞれ外側に膨らんだ段部３１，３３を備え、左右の段部３１，３３にそれぞれ上取付孔３１ａ，３３ａを備える。左右の直線部３０，３２をケーシング１１の上部１１ａに嵌め込むことにより、左右の上取付孔３１ａ，３３ａをケーシング１１の上部取付孔１１ｂ（図５に示す）に合せる。この状態で、左右の上取付孔３１ａ，３３ａ及び上部取付孔１１ｂに上取付ボルト６０を差込み、この上取付ボルト６０に上ナット６１を締め付けることでケーシング１１の上部１１ａにハンドルポスト支持ブラケット２０を取付ける。
【００１３】
左右の平板部３４，３６には、それぞれ筒部２１から収納部２４まで延びる左右の突条部３５，３７（右突条部３７は図５、図６に示す）を備える。左右の突条部３５，３７を備えることで左右の平板部３４，３６を補強して、それぞれの平板部３４，３６の強度を高めることができる。
【００１４】
抵抗棒４５は、図１に示すように略クランク状に折り曲げた丸棒であり、上部４５ａにロックピン４７を差込むための貫通孔４６（図６に示す）を上下方向に複数個形成したものである。複数個の貫通孔４６のうちから任意の貫通孔４６を選択し、この選択した貫通孔４６にロックピン４７を差込むことで、抵抗棒４５の高さを調整することができる。
【００１５】
ハンドルポスト４０は、下端４０ｂの左右側壁を押し潰すことで左右の平坦部４１，４２（右平坦部４２は図７に示す）を形成し、左右の平坦部４１，４２にそれぞれ下取付孔４１ａ，４２ａ（右下取付孔４２ａは図７に示す）を開けたものである。
【００１６】
ハンドルポスト４０の下端４０ｂをケーシング１１の下部１１ｃに嵌め込むことにより、左右の下取付孔４１ａ，４２ａをケーシング１１の下部取付孔１１ｄに合せる。この状態で、左右の下取付孔４１ａ，４２ａ及び下部取付孔１１ｄに下取付ボルト６２を差込み、この下取付ボルト６２に下ナット６３を締め付けることでケーシング１１の下部１１ｃにハンドルポスト４０の下端４０ｂを取付ける。
【００１７】
このように、ハンドルポスト４０の下端４０ｂを押し潰すことで左右の平坦部４１，４２を形成し、左右の平坦部４１，４２にそれぞれ下取付孔４１ａ，４２ａを開けた。そして、これらの下取付孔４１ａ，４２ａを利用してハンドルポスト４０の下端４０ｂをケーシング１１の下部１１ｃに取付けた。
よって、ハンドルポスト４０の下端４０ｂに、ケーシング１１取付けるための取付部材を取付ける必要はない。
【００１８】
これに対し、図１０に示す従来のハンドルポスト１０２は、本体１０１に下端部を取付けるために、ハンドルポスト１０２の下端部に下部取付部材１０２ａを取付ける必要がある。
このため、ハンドルポスト４０の部品点数を従来のハンドルポスト１０２と比較して減らすことができる。従って、ハンドルポスト４０の構成を簡単にしてコストを抑えることができる。
【００１９】
図３は本発明に係る管理機のハンドルポスト支持ブラケットを展開した斜視図であり、図２に示すハンドルポスト支持ブラケット２０を中央で折曲げる前の状態を示す折曲げ前ハンドルポスト支持ブラケット５０を裏面から見た図である。なお、折曲げ前のハンドルポスト支持ブラケット５０を裏面から見たので、「左」、「右」は図示の如くなる。
【００２０】
折曲げ前のハンドルポスト支持ブラケット５０は、横長のプレートに、プレス機により中央に縦溝５１と、この縦溝５１から左右へ延びる左右の凹条部３５ａ，３７ａを含む左右の平板部３４，３６と、これらの平板部３４，３６の先に設けた中心角θ１がほぼ９０゜の左右の円弧部５３，５４と、これらの円弧部５３，５４から左右へ延ばしたテーパ部２６，２７と、これらのテーパ部２６，２７から左右へ延ばした左右の直線部３０，３２とを一括形成したものである。
【００２１】
なお、左右の平板部３４，３６にそれぞれ凹条部３５ａ，３７ａを形成することで、左右の平板部３４，３６に外側に突出した補強用の左右の突条部３５，３７（図５に示す）を含むことができる。これにより、左右の平板部３４，３６の強度を高めることができる。
【００２２】
左右の直線部３０，３２にはそれぞれ凹部３１ｂ，３３ｂを備え、左右の凹部３１ｂ，３３ｂを形成することで、左右の直線部３０，３２から外側に突出した左右の段部３１，３３（図２に示す）を形成することができる。
左右の凹部３１ｂ，３３ｂにそれぞれ左右の上取付孔３１ａ，３３ａを備える。また、縦溝５１の近傍にはピン孔２１ａ，２１ａを備える。ピン孔２１ａは長孔である。
【００２３】
さらに、この折曲げ前のハンドルポスト支持ブラケット５０は、縦溝５１を中心にして矢印ａの如く二つ折りすることで、縦溝５１を抵抗棒４５（図２に示す）を挿入することのできる筒部２１（図２に示す）にし、左右の平板部３４，３６同士を合せ、左右の円弧部５３，５４同士を合せて中心角θ２（図９（ａ）に示す）がほぼ１８０゜の収納部２４（図２も参照）とし、左右の直線部３０，３２をケーシング１１（図４に示す）に上取付ボルト６０で連結する如くに、一枚のプレートを折曲げ形成することでハンドルポスト支持ブラケット２０（図２に示す）とするものである。
【００２４】
図４は本発明に係る管理機のハンドルポスト支持ブラケットの側面図であり、ハンドルポスト４０を上下の溶接部５６ａ，５６ｂで収納部２４に溶接し、この状態でハンドルポスト支持ブラケット２０を上取付ボルト６０でケーシング１１の上部１１ａに取付けるとともに、ハンドルポスト４０の下端４０ｂを下取付ボルト６２でケーシング１１の下部１１ｃに取付けた状態を示す。
【００２５】
加えて、この図は、筒部２１の挿入孔２２に抵抗棒４５の上部４５ａを挿入し、上部４５ａの貫通孔４６（図６に示す）を筒部２１のピン孔２１ａ，２１ａに合せてこれらのピン孔２１ａ，２１ａにロックピン４７を差込むことにより、抵抗棒４５を筒部２１に保持し、ロックピン４７の端部にコッタピン４８を取付けた状態を示す。
【００２６】
図５は図４の５−５線断面図であり、左右の平板部３４，３６から左右の円弧部５３，５４を延ばすことで収納部２４を形成し、この収納部２４にハンドルポスト４０を収納し、このハンドルポスト４０を収納部２４の左右の上端２４ａ，２４ｂに溶接するとともに、ハンドルポスト４０の周壁を収納部２４の左右の端部２５ａ，２５ｂに沿って軸方向に溶接し、収納部２４に左右のテーパ部２６，２７を介して左右の直線部３０，３２を延ばし、左右の直線部３０，３２をケーシング１１の上部１１ａに上取付ボルト６０で取付け、左右の平板部３４，３６に外側に突出させた補強用の突条部３５，３７を含んだ状態を示す。
【００２７】
なお、ハンドルポスト４０を収納部２４の左右の上端２４ａ，２４ｂに溶接した部位を、溶接部５６ａ，５６ａ（図４も参照）として示す。
また、ハンドルポスト４０の周壁を収納部２４の左右の端部２５ａ，２５ｂに沿って軸方向に溶接した部位を、溶接部５７ａ，５７ａとして示す。
【００２８】
図６は図４の６−６線断面図であり、平板部３４，３６の左右の突条部３５，３７を筒部２１からハンドルポスト４０に渡って延ばし、左右の直線部３０，３２のそれぞれの上取付孔３１ａ，３３ａ及びケーシング１１の上部取付孔１１ｂに上取付ボルト６０を差込み、上取付ボルト６０を上ナット６１で締付けた状態を示す。
【００２９】
加えて、この図は、筒部２１の挿入孔２２に抵抗棒４５の上部４５ａを挿入し、上部４５ａの貫通孔４６を筒部２１のピン孔２１ａ，２１ａに合せ、ピン孔２１ａ，２１ａ及び貫通孔４６にロックピン４７を差込むことにより、抵抗棒４５を筒部２１に保持し、ロックピン４７の端部にコッタピン４８を取付けることで、ロックピン４７の抜けを防止した状態を示す。
【００３０】
図７は図４の７−７線断面図であり、ハンドルポスト４０の下端４０ｂに左右の平坦部４１，４２を形成し、左右の平坦部４１，４２にそれぞれ下取付孔４１ａ，４２ａを開けた状態を示す。
ハンドルポスト４０の下端４０ｂをケーシング１１の下部１１ｃに嵌め込み、左右の下取付孔４１ａ，４２ａをケーシング１１の下部取付孔１１ｄに合せ、左右の下取付孔４１ａ，４２ａ及び下部取付孔１１ｄに下取付ボルト６２を差込み、下取付ボルト６２を下ナット６３で締め付けることで、ハンドルポスト４０の下端４０ｂをケーシング１１の下部１１ｃに取付ける。
【００３１】
次に、管理機のハンドルポスト支持ブラケットの製造工程について図８〜図９に基づいて説明する。
図８（ａ）〜（ｃ）は本発明に係る管理機のハンドルポスト支持ブラケットの第１製造工程説明図であり、（ａ）〜（ｃ）はプレートを裏面から見た状態を示す。
（ａ）において、横長の矩形状に形成したブランク材７０を準備する。
【００３２】
（ｂ）において、ブランク材７０をプレス成形することでプレス材７２を得る。このプレス材７２は、中央に縦溝５１を備え、この縦溝５１から左右へ延びる平板部３４，３６を備え、これらの平板部３４，３６に凹条部３５ａ，３７ａを備え、これらの平板部３４，３６の先に左右の円弧部５３，５４を備え、これらの円弧部５３，５４からテーパ部２６，２７を介して左右の直線部３０，３２を備える。
なお、左右の平板部３４，３６に凹条部３５ａ，３７ａを形成することで、左右の平板部３４，３６に外側に突出した補強用の左右の突条部３５，３７（図５に示す）を含むことができる。
【００３３】
（ｃ）において、プレス材７２を孔開け成形することにより、縦溝５１の近傍に一対のピン孔（長孔）２１ａ，２１ａを開け、左右の直線部３０，３２に左右の上取付孔３１ａ，３３ａを開ける。
加えて、トリミング（縁取り）成形することにより、プレス材７２の周縁７３を縁取りする。
【００３４】
図９（ａ）〜（ｃ）は本発明に係る管理機のハンドルポスト支持ブラケットの第２製造工程説明図である。
（ａ）において、縦溝５１に抵抗棒４５と同じ太さのロッド治具７５をセットし、このロッド治具７５に倣わせて縦溝５１から二つ折りすることで、縦溝５１を抵抗棒４５を挿入することのできる筒部２１に形成する。
同時に、左右の平板部３４，３６同士を合せるとともに、左右の円弧部５３，５４同士を合せる。
この際、一対のピン孔２１ａ，２１ａ（左側のみ図示する）を同軸上に配置するとともに、左右の上取付孔３１ａ，３３ａを同軸上に配置する。
【００３５】
（ｂ）において、左右の平板部３４，３６の溶接部５６ｃ，５６ｄ，５６ｅを溶接することにより、ハンドルポスト支持ブラケット２０を得る。
（ｃ）において、ハンドルポスト支持ブラケット２０の収納部２４にハンドルポスト４０を収納し、ハンドルポスト４０を収納部２４に溶接部５６ａ（その他に図５に示す溶接部５６ｂ、溶接部５７ａも含む）で溶接する。
【００３６】
以上説明したように、ハンドルポスト支持ブラケット２０は、抵抗棒４５を挿入する筒部２１、ハンドルポスト４０を収納する収納部２４及びケーシング１１に取付ける左右の直線部３０，３２を備え、筒部２１と収納部２４とを左右の平板部３４，３６でつなぐことで一枚のプレートで形成したものである。
このため、ハンドルポスト支持ブラケット２０の部品点数を少なくして、簡単な構成にすることができる。
【００３７】
加えて、筒部２１を収納部２４につなぐ左右の平板部３４，３６に補強用の突条部３５，３７を含ませたことで、左右の平板部３４，３６の強度を高めることができる。このため、筒部２１に取付けた抵抗棒４５をハンドルポスト支持ブラケット２０で確実に保持することができる。
【００３８】
なお、前記実施の形態で説明したハンドルポスト支持ブラケット２０は一例であり、ハンドルポスト支持ブラケット２０の形状はケーシング１１の形状に合せて任意に変更することができる。
【００３９】
また、前記実施の形態では、左右の円弧部５３，５４のそれぞれの中心角θ１をほぼ９０゜に設定した例について説明したが、中心角θ１は任意に変更することが可能である。
さらに、収納部２４の中心角θ２をほぼ１８０゜に設定した例について説明したが、中心角θ２は任意に変更することが可能である。
【００４０】
【発明の効果】
本発明は上記構成により次の効果を発揮する。
請求項１は、ハンドルポスト支持ブラケットは、抵抗棒を挿入する筒部、ハンドルポストを収納する収納部及び管理機本体に取付ける直線部を備え、筒部と収納部とを平板部でつなぐことで一枚のプレートで形成したものである。
このため、ハンドルポスト支持ブラケットの部品点数を少なくして、簡単な構成にすることができる。従って、ハンドルポスト支持ブラケットのコストを抑えることができる。
【００４１】
加えて、筒部を収納部につなぐ平板部に補強用の突条部を含ませたことで、平板部の強度を高めることができる。このため、筒部に取付けた抵抗棒をハンドルポスト支持ブラケットで確実に保持することができる。
【図面の簡単な説明】
【図１】本発明に係る管理機の側面図
【図２】本発明に係る管理機のハンドルポスト支持ブラケットの斜視図
【図３】本発明に係る管理機のハンドルポスト支持ブラケットを展開した斜視図
【図４】本発明に係る管理機のハンドルポスト支持ブラケットの側面図
【図５】図４の５−５線断面図
【図６】図４の６−６線断面図
【図７】図４の７−７線断面図
【図８】本発明に係る管理機のハンドルポスト支持ブラケットの第１製造工程説明図
【図９】本発明に係る管理機のハンドルポスト支持ブラケットの第２製造工程説明図
【図１０】従来の管理機の断面図
【符号の説明】
１０…管理機、１１…管理機本体（ケーシング）２０…ハンドルポスト支持ブラケット、２１…筒部、２４…ハンドルポスト収納部（収納部）、３０…直線部（左直線部）、３２…直線部（右直線部）、３４…平板部（左平板部）、３５…突条部（左突条部）、３６…平板部（右平板部）、３７…突条部（右突条部）、４０…ハンドルポスト、４５…抵抗棒、５０…プレート（ブランク材）、５１…縦溝、５３…円弧部（左円弧部）、５４…円弧部（右円弧部）、５６ｃ，５６ｄ，５６ｅ…溶接部、６０…ボルト（上取付ボルト）、θ１…左右の円弧部の中心角、θ２…収納部の中心角。
【図１】
0003816327.tif 000002
【図２】
0003816327.tif 000003
【図３】
0003816327.tif 000004
【図４】
0003816327.tif 000005
【図５】
0003816327.tif 000006
【図６】
0003816327.tif 000007
【図７】
0003816327.tif 000008
【図８】
0003816327.tif 000009
【図９】
0003816327.tif 000010
【図１０】
0003816327.tif 000011